(57)【要約】【課題】本発明は、静電気による素子への悪影響を防止できるサスペンション用基板を提供することを主目的とする。【解決手段】本発明は、ヘッド部側に形成された素子実装領域と、テール部側に形成された接続端子を有する外部回路基板接続領域と、上記素子実装領域および上記外部回路基板接続領域の間を電気的に接続する配線と、上記テール部の端部を一端とし、上記接続端子と電気的に接続するためのめっき線と、を有し、上記めっき線は、開口部で断線しており、上記開口部における上記カバー層の端部、および上記開口部における上記絶縁層の端部が、上記断線しためっき線の端部よりも突出していることを特徴とするサスペンション用基板を提供することにより、上記課題を解決する。【選択図】図２
2011170948.tif 000002
【特許請求の範囲】
【請求項１】
ヘッド部側に形成され、素子を実装する素子実装領域と、テール部側に形成され、外部回路基板との接続を行う接続端子を有する外部回路基板接続領域と、前記素子実装領域および前記外部回路基板接続領域の間を電気的に接続する配線と、前記テール部の端部を一端とし、前記接続端子と電気的に接続するためのめっき線と、を有するサスペンション用基板であって、
金属支持基板と、前記金属支持基板上に形成された絶縁層と、前記絶縁層上に形成された、前記配線、前記接続端子を構成する接続端子用配線部、および前記めっき線と、前記めっき線を覆うカバー層とを有し、
前記めっき線は、開口部で断線しており、
前記開口部における前記カバー層の端部、および前記開口部における前記絶縁層の端部が、前記断線しためっき線の端部よりも突出していることを特徴とするサスペンション用基板。
【請求項２】
ヘッド部側に形成され、素子を実装する素子実装領域と、テール部側に形成され、外部回路基板との接続を行う接続端子を有する外部回路基板接続領域と、前記素子実装領域および前記外部回路基板接続領域の間を電気的に接続する配線と、前記接続端子と電気的に接続するためのめっき線と、を有するサスペンション用基板であって、
金属支持基板と、前記金属支持基板上に形成された絶縁層と、前記絶縁層上に形成された、前記配線、前記接続端子を構成する接続端子用配線部、および前記めっき線と、前記めっき線を覆うカバー層とを有し、
前記テール部の前記めっき線の端部における前記カバー層の端部および前記絶縁層の端部が、前記めっき線の端部よりも突出していることを特徴とするサスペンション用基板。
【請求項３】
前記サスペンション用基板は、前記接続端子と前記テール部の端部との間に、前記素子を実装した後における前記素子の性能を確認するためのテスト用端子を有することを特徴とする請求項１または請求項２に記載のサスペンション用基板。
【請求項４】
二以上の前記テスト用端子が共有用配線部によって共有され、前記共有用配線部が、短絡防止用開口部で断線していることを特徴とする請求項３に記載のサスペンション用基板。
【請求項５】
前記絶縁層の端部が、前記カバー層の端部よりも突出していることを特徴とする請求項１から請求項４までのいずれかの請求項に記載のサスペンション用基板。
【請求項６】
サスペンション用基板と、前記サスペンション用基板のテール部側で一体化した外枠部とを有する外枠付サスペンション用基板であって、
前記サスペンション用基板は、ヘッド部側に形成され、素子を実装する素子実装領域と、前記テール部側に形成され、外部回路基板との接続を行う接続端子を有する外部回路基板接続領域と、前記素子実装領域および前記外部回路基板接続領域の間を電気的に接続する配線と、前記外枠部および前記接続端子を電気的に接続するためのめっき線とを有し、
さらに、前記サスペンション用基板は、金属支持基板と、前記金属支持基板上に形成された絶縁層と、前記絶縁層上に形成された、前記配線、前記接続端子を構成する接続端子用配線部、および前記めっき線と、前記めっき線を覆うカバー層と有し、
前記めっき線は、開口部で断線しており、
前記開口部における前記カバー層の端部、および前記開口部における前記絶縁層の端部が、前記断線しためっき線の端部よりも突出していることを特徴とする外枠付サスペンション用基板。
【請求項７】
前記開口部よりも前記外枠部側で、前記外枠付サスペンション用基板から前記サスペンション用基板が切り離されることを特徴とする請求項６に記載の外枠付サスペンション用基板。
【請求項８】
前記開口部で、前記外枠付サスペンション用基板から前記サスペンション用基板が切り離されることを特徴とする請求項６に記載の外枠付サスペンション用基板。
【請求項９】
ヘッド部側に形成され、素子を実装する素子実装領域と、テール部側に形成され、外部回路基板との接続を行う接続端子を有する外部回路基板接続領域と、前記素子実装領域および前記外部回路基板接続領域の間を電気的に接続する配線と、前記テール部の端部を一端とし、前記接続端子と電気的に接続するためのめっき線と、を有するサスペンション用基板の製造方法であって、
金属支持基板と、前記金属支持基板上に形成された絶縁層と、前記絶縁層上に形成された導体層とを有する積層部材を用意し、エッチングにより、前記導体層から、前記配線、前記接続端子を構成する接続端子用配線部、および前記めっき線を形成し、かつ、開口部を形成する位置にある前記金属支持基板を除去する第一金属エッチング工程と、
前記開口部を形成する位置にある前記めっき線を覆わないようにして、前記めっき線上にカバー層を形成するカバー層形成工程と、
前記カバー層形成工程の後に、エッチングにより、前記開口部を形成する位置にある前記絶縁層を除去する絶縁層エッチング工程と、
前記絶縁層エッチング工程の後に、前記開口部を形成する位置にある前記めっき線をめっきから保護する保護層を形成し、前記保護層が形成されていない前記接続端子用配線部の表面上に、めっき部を形成するめっき部形成工程と、
前記めっき部形成工程の後に、前記保護層を剥離する保護層剥離工程と、
前記保護層剥離工程の後に、エッチングにより、前記開口部を形成する位置にある前記めっき線を除去し、前記開口部を形成する第二金属エッチング工程と、
を有し、
前記第二金属エッチング工程において、前記開口部における前記カバー層の端部、および前記開口部における前記絶縁層の端部が、前記開口部における前記めっき線の端部よりも突出するように、前記めっき線をエッチングすることを特徴とするサスペンション用基板の製造方法。
【請求項１０】
ヘッド部側に形成され、素子を実装する素子実装領域と、テール部側に形成され、外部回路基板との接続を行う接続端子を有する外部回路基板接続領域と、前記素子実装領域および前記外部回路基板接続領域の間を電気的に接続する配線と、前記接続端子と電気的に接続するためのめっき線と、を有するサスペンション用基板の製造方法であって、
金属支持基板と、前記金属支持基板上に形成された絶縁層と、前記絶縁層上に形成された導体層とを有する積層部材を用意し、エッチングにより、前記導体層から、前記配線、前記接続端子を構成する接続端子用配線部、および前記めっき線を形成し、かつ、前記テール部を形成する位置にある前記金属支持基板を除去する第一金属エッチング工程と、
前記テール部を形成する位置にある前記めっき線を覆わないようにして、前記めっき線上にカバー層を形成するカバー層形成工程と、
前記カバー層形成工程の後に、エッチングにより、前記テール部を形成する位置にある前記絶縁層を除去する絶縁層エッチング工程と、
前記絶縁層エッチング工程の後に、前記テール部を形成する位置にある前記めっき線をめっきから保護する保護層を形成し、前記保護層が形成されていない前記接続端子用配線部の表面上に、めっき部を形成するめっき部形成工程と、
前記めっき部形成工程の後に、前記保護層を剥離する保護層剥離工程と、
前記保護層剥離工程の後に、エッチングにより、前記テール部を形成する位置にある前記めっき線を除去し、前記開口部を形成する第二金属エッチング工程と、
を有し、
前記第二金属エッチング工程において、前記テール部の前記めっき線の端部における前記カバー層の端部および前記絶縁層の端部が、前記めっき線の端部よりも突出するように、前記めっき線をエッチングすることを特徴とするサスペンション用基板の製造方法。
【請求項１１】
前記保護層を、ドライフィルムレジストを用いて形成することを特徴とする請求項９または請求項１０に記載のサスペンション用基板の製造方法。
【請求項１２】
前記保護層を、前記積層部材の外枠部をめっきから保護するマスクを用いて形成することを特徴とする請求項９または請求項１０に記載のサスペンション用基板の製造方法。
【請求項１３】
前記絶縁層エッチング工程において、前記開口部を形成する位置にある前記絶縁層の端部が、前記開口部を形成する位置にある前記カバー層の端部よりも突出するように、前記絶縁層をエッチングすることを特徴とする請求項９から請求項１２までのいずれかの請求項に記載のサスペンション用基板の製造方法。
【請求項１４】
サスペンション用基板と、前記サスペンション用基板のテール部側で一体化した外枠部とを有する外枠付サスペンション用基板の製造方法であって、
前記サスペンション用基板は、ヘッド部側に形成され、素子を実装する素子実装領域と、前記テール部側に形成され、外部回路基板との接続を行う接続端子を有する外部回路基板接続領域と、前記素子実装領域および前記外部回路基板接続領域の間を電気的に接続する配線と、前記外枠部および前記接続端子を電気的に接続するためのめっき線と、を有し、
金属支持基板と、前記金属支持基板上に形成された絶縁層と、前記絶縁層上に形成された導体層とを有する積層部材を用意し、エッチングにより、前記導体層から、前記配線、前記接続端子を構成する接続端子用配線部、および前記めっき線を形成し、かつ、開口部を形成する位置にある前記金属支持基板を除去する第一金属エッチング工程と、
前記開口部を形成する位置にある前記めっき線を覆わないようにして、前記めっき線上にカバー層を形成するカバー層形成工程と、
前記カバー層形成工程の後に、エッチングにより、前記開口部を形成する位置にある前記絶縁層を除去する絶縁層エッチング工程と、
前記絶縁層エッチング工程の後に、前記開口部を形成する位置にある前記めっき線をめっきから保護する保護層を形成し、前記保護層が形成されていない前記接続端子用配線部の表面上に、めっき部を形成するめっき部形成工程と、
前記めっき部形成工程の後に、前記保護層を剥離する保護層剥離工程と、
前記保護層剥離工程の後に、エッチングにより、前記開口部を形成する位置にある前記めっき線を除去し、前記開口部を形成する第二金属エッチング工程と、
を有し、
前記第二金属エッチング工程において、前記開口部における前記カバー層の端部、および前記開口部における前記絶縁層の端部が、前記開口部における前記めっき線の端部よりも突出するように、前記めっき線をエッチングすることを特徴とする外枠付サスペンション用基板の製造方法。
【請求項１５】
請求項１から請求項５までのいずれかの請求項に記載のサスペンション用基板を含むことを特徴とするサスペンション。
【請求項１６】
請求項１５に記載のサスペンションと、前記サスペンションの前記素子実装領域に実装された素子と、を有することを特徴とする素子付サスペンション。
【請求項１７】
請求項１６に記載の素子付サスペンションを含むことを特徴とするハードディスクドライブ。
【発明の詳細な説明】
【技術分野】
【０００１】
本発明は、静電気による素子への悪影響を防止できるサスペンション用基板に関する。
【背景技術】
【０００２】
ＨＤＤ（ハードディスクドライブ）に用いられる回路基板として、磁気ヘッドスライダ等の素子を実装するサスペンション用基板が知られている。サスペンション用基板は、通常、金属支持基板（例えばＳＵＳ）、絶縁層（例えばポリイミド樹脂）、配線（例えばＣｕ）がこの順に積層された基本構造を有し、通常は、一方の先端に素子を実装する素子実装領域を備え、他方の先端に、外部回路基板との接続を行う接続端子を有する外部回路基板接続領域を備える。
【０００３】
サスペンション用基板の接続端子の表面には、外部回路基板の接続端子との間で、金−金接合（超音波接合、ＵＳＢ）を行うため、金めっきを設けることが知られている。このようなめっき部を形成するために、通常、サスペンション用基板の作製時にめっき線を利用する必要がある。ここで、図２３（ａ）は、製造段階のサスペンション用基板を例示する概略平面図であり、多面付けされたサスペンション用基板１１０は、外枠部１２０から切り離される前の状態にある。また、図２３（ｂ）は、図２３（ａ）の領域Ｓの拡大図であり、めっき線１０１は外枠部１２０の導体層（例えばＣｕ）と接続されている。めっき線１０１を用いて接続端子にめっき部を形成した後に、図２３（ｂ）におけるＣｕｔ  Ｌｉｎｅに沿って、サスペンション用基板１１０を外枠部１２０から切り離し、個片のサスペンション用基板１１０を得る。
【０００４】
一方、サスペンション用基板の素子は、静電気による悪影響を受けやすいことが知られており、最悪の場合、静電気により素子が破壊される場合がある。そのため、静電気による素子への悪影響を防止する技術が知られている。例えば、特許文献１においては、サスペンション基板と、制御回路基板とを中継するためのフレキシブル配線板であって、各配線を短絡する短絡部を形成するための、短絡形成部が形成されているフレキシブルプリント基板が開示されている。この技術は、サスペンション用基板ではなく、中継基板に関するものであるが、振動等による摩擦によって発生する静電気が配線間に蓄積され、その蓄積された静電気が、磁気ヘッド等の素子に悪影響を与えることを防止することを目的としたものである。また、特許文献２においては、化学エッチングにより、めっき線を除去する方法が開示されている。
【先行技術文献】
【特許文献】
【０００５】
【特許文献１】特許第３０９１１８５号
【特許文献２】特開２００９−２７２５４９号公報
【発明の概要】
【発明が解決しようとする課題】
【０００６】
上述した図２３（ｂ）に示すように、サスペンション用基板１１０は、めっき線１０１を用いて接続端子にめっき部を形成した後に、Ｃｕｔ  Ｌｉｎｅに沿って外枠部１２０から切り離されるが、その切断面は、めっき線１０１が露出した状態となる。そのため、サスペンション用基板に素子を実装すると、上記の切断面から素子までが電気的に接続された状態となる。このような場合に、上記の切断面に、例えば静電気を帯びた治具が接触すると、静電気による影響が、めっき線および配線を通じて素子まで到達してしまう。その結果、最悪の場合、静電気により素子が破壊される場合がある。
【０００７】
本発明は、上記実情に鑑みてなされたものであり、静電気による素子への悪影響を防止できるサスペンション用基板を提供することを主目的とする。
【課題を解決するための手段】
【０００８】
上記課題を解決するために、本発明においては、ヘッド部側に形成され、素子を実装する素子実装領域と、テール部側に形成され、外部回路基板との接続を行う接続端子を有する外部回路基板接続領域と、上記素子実装領域および上記外部回路基板接続領域の間を電気的に接続する配線と、上記テール部の端部を一端とし、上記接続端子と電気的に接続するためのめっき線と、を有するサスペンション用基板であって、金属支持基板と、上記金属支持基板上に形成された絶縁層と、上記絶縁層上に形成された、上記配線、上記接続端子を構成する接続端子用配線部、および上記めっき線と、上記めっき線を覆うカバー層とを有し、上記めっき線は、開口部で断線しており、上記開口部における上記カバー層の端部、および上記開口部における上記絶縁層の端部が、上記断線しためっき線の端部よりも突出していることを特徴とするサスペンション用基板を提供する。
【０００９】
本発明によれば、めっき線を開口部において断線させることにより、静電気による素子への悪影響を防止することができる。また、めっき線の露出面（切断面）が、張り出したカバー層および絶縁層により保護されることにより、静電気による素子への悪影響を防止することができる。さらに、カバー層および絶縁層が張り出すことにより、めっき線の腐食を効果的に抑制できる。
【００１０】
また、本発明においては、ヘッド部側に形成され、素子を実装する素子実装領域と、テール部側に形成され、外部回路基板との接続を行う接続端子を有する外部回路基板接続領域と、上記素子実装領域および上記外部回路基板接続領域の間を電気的に接続する配線と、上記接続端子と電気的に接続するためのめっき線と、を有するサスペンション用基板であって、金属支持基板と、上記金属支持基板上に形成された絶縁層と、上記絶縁層上に形成された、上記配線、上記接続端子を構成する接続端子用配線部、および上記めっき線と、上記めっき線を覆うカバー層とを有し、上記テール部の上記めっき線の端部における上記カバー層の端部および上記絶縁層の端部が、上記めっき線の端部よりも突出していることを特徴とするサスペンション用基板を提供する。
【００１１】
本発明によれば、めっき線の露出面（切断面）が、張り出したカバー層および絶縁層により保護されることにより、静電気による素子への悪影響を防止することができる。さらに、カバー層および絶縁層が張り出すことにより、めっき線の腐食を効果的に抑制できる。
【００１２】
上記発明において、上記サスペンション用基板は、上記接続端子と上記テール部の端部との間に、上記素子を実装した後における上記素子の性能を確認するためのテスト用端子を有することが好ましい。テスト用端子を設けることで、製品の良否判定が可能となるからである。なお、製品の良否テストは、外部回路基板接続用端子で行われても良い。
【００１３】
上記発明においては、二以上の上記テスト用端子が共有用配線部によって共有され、上記共有用配線部が、短絡防止用開口部で断線していることが好ましい。共有用配線部を設けることにより、めっき線の数を減らすことができ、その結果、上記開口部を小さくすることができるからである。
【００１４】
上記発明において、上記絶縁層の端部が、上記カバー層の端部よりも突出していることが好ましい。上記絶縁層の開口部を形成する際に、カバー層の劣化や剥離が生じることを防止できるからである。
【００１５】
また、本発明においては、サスペンション用基板と、上記サスペンション用基板のテール部側で一体化した外枠部とを有する外枠付サスペンション用基板であって、上記サスペンション用基板は、ヘッド部側に形成され、素子を実装する素子実装領域と、上記テール部側に形成され、外部回路基板との接続を行う接続端子を有する外部回路基板接続領域と、上記素子実装領域および上記外部回路基板接続領域の間を電気的に接続する配線と、上記外枠部および上記接続端子を電気的に接続するためのめっき線とを有し、さらに、上記サスペンション用基板は、金属支持基板と、上記金属支持基板上に形成された絶縁層と、上記絶縁層上に形成された、上記配線、上記接続端子を構成する接続端子用配線部、および上記めっき線と、上記めっき線を覆うカバー層と有し、上記めっき線は、開口部で断線しており、上記開口部における上記カバー層の端部、および上記開口部における上記絶縁層の端部が、上記断線しためっき線の端部よりも突出していることを特徴とする外枠付サスペンション用基板を提供する。
【００１６】
本発明によれば、開口部において、めっき線の露出面（切断面）が、張り出したカバー層および絶縁層により保護されることにより、静電気による素子への悪影響を防止することができる。さらに、カバー層および絶縁層が張り出すことにより、めっき線の腐食を効果的に抑制できる。
【００１７】
上記発明においては、上記開口部よりも上記外枠部側で、上記外枠付サスペンション用基板から上記サスペンション用基板が切り離されることが好ましい。
【００１８】
上記発明においては、上記開口部で、上記外枠付サスペンション用基板から上記サスペンション用基板が切り離されることが好ましい。
【００１９】
また、本発明においては、ヘッド部側に形成され、素子を実装する素子実装領域と、テール部側に形成され、外部回路基板との接続を行う接続端子を有する外部回路基板接続領域と、上記素子実装領域および上記外部回路基板接続領域の間を電気的に接続する配線と、上記テール部の端部を一端とし、上記接続端子と電気的に接続するためのめっき線と、を有するサスペンション用基板の製造方法であって、金属支持基板と、上記金属支持基板上に形成された絶縁層と、上記絶縁層上に形成された導体層とを有する積層部材を用意し、エッチングにより、上記導体層から、上記配線、上記接続端子を構成する接続端子用配線部、および上記めっき線を形成し、かつ、開口部を形成する位置にある上記金属支持基板を除去する第一金属エッチング工程と、上記開口部を形成する位置にある上記めっき線を覆わないようにして、上記めっき線上にカバー層を形成するカバー層形成工程と、上記カバー層形成工程の後に、エッチングにより、上記開口部を形成する位置にある上記絶縁層を除去する絶縁層エッチング工程と、上記絶縁層エッチング工程の後に、上記開口部を形成する位置にある上記めっき線をめっきから保護する保護層を形成し、上記保護層が形成されていない上記接続端子用配線部の表面上に、めっき部を形成するめっき部形成工程と、上記めっき部形成工程の後に、上記保護層を剥離する保護層剥離工程と、上記保護層剥離工程の後に、エッチングにより、上記開口部を形成する位置にある上記めっき線を除去し、上記開口部を形成する第二金属エッチング工程と、を有し、上記第二金属エッチング工程において、上記開口部における上記カバー層の端部、および上記開口部における上記絶縁層の端部が、上記開口部における上記めっき線の端部よりも突出するように、上記めっき線をエッチングすることを特徴とするサスペンション用基板の製造方法を提供する。
【００２０】
本発明によれば、めっき線を開口部において断線させることにより、静電気による素子への悪影響を防止したサスペンション用基板を得ることができる。特に、めっき部を形成する際に、開口部を形成する位置にあるめっき線をめっきから保護する保護層を形成することで、めっき線の除去が容易になるという利点を有する。さらに、開口部におけるカバー層の端部、および開口部における絶縁層の端部が、断線しためっき線の端部よりも突出するように、めっき線をエッチングすることにより、静電気による素子への悪影響を防止したサスペンション用基板を得ることができる。
【００２１】
また、本発明においては、ヘッド部側に形成され、素子を実装する素子実装領域と、テール部側に形成され、外部回路基板との接続を行う接続端子を有する外部回路基板接続領域と、上記素子実装領域および上記外部回路基板接続領域の間を電気的に接続する配線と、上記接続端子と電気的に接続するためのめっき線と、を有するサスペンション用基板の製造方法であって、金属支持基板と、上記金属支持基板上に形成された絶縁層と、上記絶縁層上に形成された導体層とを有する積層部材を用意し、エッチングにより、上記導体層から、上記配線、上記接続端子を構成する接続端子用配線部、および上記めっき線を形成し、かつ、上記テール部を形成する位置にある上記金属支持基板を除去する第一金属エッチング工程と、上記テール部を形成する位置にある上記めっき線を覆わないようにして、上記めっき線上にカバー層を形成するカバー層形成工程と、上記カバー層形成工程の後に、エッチングにより、上記テール部を形成する位置にある上記絶縁層を除去する絶縁層エッチング工程と、上記絶縁層エッチング工程の後に、上記テール部を形成する位置にある上記めっき線をめっきから保護する保護層を形成し、上記保護層が形成されていない上記接続端子用配線部の表面上に、めっき部を形成するめっき部形成工程と、上記めっき部形成工程の後に、上記保護層を剥離する保護層剥離工程と、上記保護層剥離工程の後に、エッチングにより、上記テール部を形成する位置にある上記めっき線を除去し、上記開口部を形成する第二金属エッチング工程と、を有し、上記第二金属エッチング工程において、上記テール部の上記めっき線の端部における上記カバー層の端部および上記絶縁層の端部が、上記めっき線の端部よりも突出するように、上記めっき線をエッチングすることを特徴とするサスペンション用基板の製造方法を提供する。
【００２２】
本発明によれば、テール部のめっき線の端部におけるカバー層の端部および絶縁層の端部が、めっき線の端部よりも突出するように、めっき線をエッチングすることにより、静電気による素子への悪影響を防止したサスペンション用基板を得ることができる。
【００２３】
上記発明においては、上記保護層を、ドライフィルムレジストを用いて形成することが好ましい。任意の場所に開口部を設けることができるからである。
【００２４】
上記発明においては、上記保護層を、上記積層部材の外枠部をめっきから保護するマスクを用いて形成することが好ましい。ドライフィルムレジストを用いた保護層と比べて、工程数が増加しないという利点を有するからである。
【００２５】
上記発明においては、上記絶縁層エッチング工程において、上記開口部を形成する位置にある上記絶縁層の端部が、上記開口部を形成する位置にある上記カバー層の端部よりも突出するように、上記絶縁層をエッチングすることが好ましい。上記絶縁層の開口部を形成する際に、カバー層の劣化や剥離が生じることを防止できるからである。
【００２６】
また、本発明においては、サスペンション用基板と、上記サスペンション用基板のテール部側で一体化した外枠部とを有する外枠付サスペンション用基板の製造方法であって、上記サスペンション用基板は、ヘッド部側に形成され、素子を実装する素子実装領域と、上記テール部側に形成され、外部回路基板との接続を行う接続端子を有する外部回路基板接続領域と、上記素子実装領域および上記外部回路基板接続領域の間を電気的に接続する配線と、上記外枠部および上記接続端子を電気的に接続するためのめっき線と、を有し、金属支持基板と、上記金属支持基板上に形成された絶縁層と、上記絶縁層上に形成された導体層とを有する積層部材を用意し、エッチングにより、上記導体層から、上記配線、上記接続端子を構成する接続端子用配線部、および上記めっき線を形成し、かつ、開口部を形成する位置にある上記金属支持基板を除去する第一金属エッチング工程と、上記開口部を形成する位置にある上記めっき線を覆わないようにして、上記めっき線上にカバー層を形成するカバー層形成工程と、上記カバー層形成工程の後に、エッチングにより、上記開口部を形成する位置にある上記絶縁層を除去する絶縁層エッチング工程と、上記絶縁層エッチング工程の後に、上記開口部を形成する位置にある上記めっき線をめっきから保護する保護層を形成し、上記保護層が形成されていない上記接続端子用配線部の表面上に、めっき部を形成するめっき部形成工程と、上記めっき部形成工程の後に、上記保護層を剥離する保護層剥離工程と、上記保護層剥離工程の後に、エッチングにより、上記開口部を形成する位置にある上記めっき線を除去し、上記開口部を形成する第二金属エッチング工程と、を有し、上記第二金属エッチング工程において、上記開口部における上記カバー層の端部、および上記開口部における上記絶縁層の端部が、上記開口部における上記めっき線の端部よりも突出するように、上記めっき線をエッチングすることを特徴とする外枠付サスペンション用基板の製造方法を提供する。
【００２７】
本発明によれば、開口部におけるカバー層の端部、および開口部における絶縁層の端部が、断線しためっき線の端部よりも突出するように、めっき線をエッチングすることにより、静電気による素子への悪影響を防止した外枠付サスペンション用基板を得ることができる。
【００２８】
また、本発明においては、上述したサスペンション用基板を含むことを特徴とするサスペンションを提供する。
【００２９】
本発明によれば、上述したサスペンション用基板を用いることで、静電気による素子への悪影響を防止したサスペンションとすることができる。
【００３０】
また、本発明においては、上述したサスペンションと、上記サスペンションの上記素子実装領域に実装された素子と、を有することを特徴とする素子付サスペンションを提供する。
【００３１】
本発明によれば、上述したサスペンションを用いることで、静電気による素子への悪影響を防止した素子付サスペンションとすることができる。
【００３２】
また、本発明においては、上述した素子付サスペンションを含むことを特徴とするハードディスクドライブを提供する。
【００３３】
本発明によれば、上述した素子付サスペンションを用いることで、より高機能化されたハードディスクドライブとすることができる。
【発明の効果】
【００３４】
本発明においては、静電気による素子への悪影響を防止できるという効果を奏する。
【図面の簡単な説明】
【００３５】
【図１】本発明のサスペンション用基板の一例を示す概略平面図である。
【図２】図１のテール部Ｔの周辺を示す拡大図である。
【図３】図２のＡ−Ａ断面図およびＢ−Ｂ断面図である。
【図４】本発明のサスペンション用基板のテール部を例示する模式図である。
【図５】本発明における開口部を例示する模式図である。
【図６】本発明のサスペンション用基板のテール部を例示する概略平面図である。
【図７】本発明のサスペンション用基板を説明する模式図である。
【図８】本発明のサスペンション用基板を説明する概略平面図である。
【図９】本発明におけるテール部を例示する模式図である。
【図１０】本発明の外枠付サスペンション用基板の一例を示す概略平面図である。
【図１１】本発明により得られるサスペンション用基板のテール部の一例を示す概略平面図である。
【図１２】本発明のサスペンション用基板の製造方法を例示する概略断面図である。
【図１３】本発明のサスペンション用基板の製造方法を例示する概略断面図である。
【図１４】本発明のサスペンション用基板の製造方法を例示する概略断面図である。
【図１５】本発明のサスペンション用基板の製造方法を例示する概略断面図である。
【図１６】製造段階のサスペンション用基板を示す概略平面図である。
【図１７】本発明における開口部を例示する概略断面図である。
【図１８】本発明における開口部を例示する模式図である。
【図１９】本発明における開口部を例示する概略断面図である。
【図２０】本発明のサスペンションの一例を示す概略平面図である。
【図２１】本発明の素子付サスペンションの一例を示す概略平面図である。
【図２２】本発明のハードディスクドライブの一例を示す概略平面図である。
【図２３】製造段階のサスペンション用基板を例示する概略平面図である。
【発明を実施するための最良の形態】
【００３６】
以下、本発明のサスペンション用基板、外枠付サスペンション用基板、サスペンション用基板の製造方法、外枠付サスペンション用基板の製造方法、素子付サスペンションおよびハードディスクドライブについて詳細に説明する。
【００３７】
Ａ．サスペンション用基板
本発明のサスペンション用基板は、２つの実施態様に大別することができる。本発明のサスペンション用基板について、第一実施態様および第二実施態様に分けて説明する。
【００３８】
１．第一実施態様
まず、第一実施態様のサスペンション用基板について説明する。第一実施態様のサスペンション用基板は、ヘッド部側に形成され、素子を実装する素子実装領域と、テール部側に形成され、外部回路基板との接続を行う接続端子を有する外部回路基板接続領域と、上記素子実装領域および上記外部回路基板接続領域の間を電気的に接続する配線と、上記テール部の端部を一端とし、上記接続端子と電気的に接続するためのめっき線と、を有するサスペンション用基板であって、金属支持基板と、上記金属支持基板上に形成された絶縁層と、上記絶縁層上に形成された、上記配線、上記接続端子を構成する接続端子用配線部、および上記めっき線とを有し、上記めっき線は、開口部で断線していることを特徴とするものである。
【００３９】
図１は、第一実施態様のサスペンション用基板の一例を示す概略平面図である。なお、便宜上、絶縁層およびカバー層の記載は省略しており、これは、後述する図２、図４（ａ）、図６、図７（ａ）、図１１においても同様である。図１に示されるサスペンション用基板２０は、ヘッド部Ｈ側に形成され、素子を実装する素子実装領域Ｘと、テール部Ｔ側に形成され、外部回路基板との接続を行う接続端子１２を有する外部回路基板接続領域Ｙと、素子実装領域Ｘおよび外部回路基板接続領域Ｙの間を電気的に接続する配線１３（１３ａ〜１３ｄ）と、テール部Ｔの端部を一端とし、接続端子１２と電気的に接続するためのめっき線１４と、を有するものである。なお、配線１３ａおよび１３ｂ、並びに、配線１３ｃおよび１３ｄはそれぞれ配線対を形成し、一方が記録用であり、他方が再生用である。第一実施態様のサスペンション用基板は、めっき線１４が開口部１６で断線していることを大きな特徴とする。また、図１においては、接続端子１２とテール部Ｔの端部との間に、素子を実装した後における素子の性能を確認するためのテスト用端子１５を有するテスト用端子領域Ｚが形成されている。
【００４０】
図２は、図１のテール部Ｔの周辺を示す拡大図である。図２においては、ヘッド部（図示せず）側から、配線１３（１３ａ〜１３ｄ）、接続端子１２（１２ａ〜１２ｄ）、テスト用端子１５（１５ａ〜１５ｄ）およびめっき線１４（１４ａ〜１４ｄ）がこの順に配置されており、めっき線１４ａ〜１４ｄは、テール部Ｔの端部の手前で、開口部１６で断線している。なお、テスト用端子１５は、素子実装後における素子の性能を確認した後は不要になるため、通常は、図１における外部回路基板接続領域Ｙおよびテスト用端子領域Ｚの間で切断し（図２におけるＣｕｔ  Ｌｉｎｅに沿って切断し）、テスト用端子を除去する。
【００４１】
また、図３（ａ）は図２のＡ−Ａ断面図であり、図３（ｂ）は図２のＢ−Ｂ断面図である。図３（ａ）、（ｂ）に示されるサスペンション用基板は、金属支持基板１と、金属支持基板１上に形成された絶縁層２と、絶縁層２上に形成された、配線１３ａ、接続端子１２ａを構成する接続端子用配線部３ａ、テスト用端子１５ａを構成するテスト用端子の配線部３ａ´、およびめっき線１４ａとを有する。さらに、図３（ａ）、（ｂ）に示されるサスペンション用基板は、配線１３ａおよびめっき線１４ａを覆うカバー層４を有し、接続端子用配線部３ａと、テスト用端子の配線部３ａ´との表面に、それぞれめっき部１７、１８を有する。なお、接続端子用配線部３ａは、例えば、接続端子用配線部３ａの両面が露出したフライングリード状であることが好ましく、テスト用端子の配線部３ａ´は、例えば、テスト用端子の配線部３ａ´の両面が露出したフライングリード状であっても良く、テスト用端子の配線部３ａ´のカバー層４側の表面のみが露出したパット状であっても良い。
【００４２】
また、上述した図１〜図３においては、テスト用端子１５（１５ａ〜１５ｄ）を有するサスペンション用基板を示したが、第一実施態様のサスペンション用基板は、図４（ａ）、（ｂ）に示されるように、テスト用端子１５を有しないサスペンション用基板であっても良い。なお、図４（ｂ）は図４（ａ）のＡ−Ａ断面図であり、図示された符号は図１〜図３における符号と同様である。
【００４３】
このように、第一実施態様によれば、めっき線を開口部において断線させることにより、静電気による素子への悪影響を防止することができる。上述した図２３に示すように、サスペンション用基板を外枠部から切り離すと、その切断面（テール部の端部）はめっき線が露出した状態となる。そのため、素子実装後に、静電気を帯びた治具が上記切断面に接触すると、最悪の場合、静電気により素子が破壊される場合がある。これに対して、第一実施態様のサスペンション用基板は、めっき線を断線していることから、静電気を帯びた治具が上記切断面に接触した場合であっても、静電気による素子への悪影響を防止することができる。なお、本発明者等の知見によると、サスペンション用基板に、静電破壊防止用の開口部を設けなかった場合、静電気による素子の破壊が０．１％〜１.０％程度の割合で発生する。
以下、第一実施態様のサスペンション用基板について、サスペンション用基板の部材と、サスペンション用基板の構成とに分けて説明する。
【００４４】
（１）サスペンション用基板の部材
まず、第一実施態様のサスペンション用基板の部材について説明する。第一実施態様のサスペンション用基板は、少なくとも金属支持基板、絶縁層、配線、接続端子用配線部、めっき線を有するものである。
【００４５】
第一実施態様における金属支持基板は、通常、サスペンション用基板の支持基板として用いられるものである。金属支持基板の材料は、特に限定されるものではないが、ばね性を有する金属であることが好ましい。金属支持基板の材料としては、例えばＳＵＳ等を挙げることができる。また、金属支持基板の厚さは、その材料の種類により異なるものであるが、例えば１０μｍ〜２０μｍの範囲内である。
【００４６】
第一実施態様における絶縁層は、金属支持基板上に形成される層である。絶縁層の材料としては、例えばポリイミド樹脂（ＰＩ）等を挙げることができる。また、絶縁層の材料は、感光性材料であっても良く、非感光性材料であっても良い。また、絶縁層の厚さは、例えば５μｍ〜１０μｍの範囲内である。
【００４７】
第一実施態様における配線、接続端子用配線部およびめっき線は、絶縁層上に形成されるものである。また、第一実施態様のサスペンション用基板は、テスト用端子の配線部（図３（ａ）参照）、接続端子とテスト用端子とを電気的に接続する配線部、および後述する共有用配線部をさらに有していても良い。また、これらを導電部と総称した場合、導電部は同一の導体層から形成されたものであることが好ましい。導電部の材料としては、例えば銅（Ｃｕ）等を挙げることができる。また、導電部の厚さとしては、例えば５μｍ〜１８μｍの範囲内であり、中でも９μｍ〜１２μｍの範囲内であることが好ましい。また、第一実施態様においては、通常、接続端子用配線部、およびテスト用端子の配線部の表面に、めっき線を用いてめっき部が形成される。めっき部の一例としては、金めっき部を挙げることができる。また、金めっき部の下地としてニッケルめっき部が形成されていても良い。めっき部の厚さは、例えば０．１μｍ〜４．０μｍの範囲内である。
【００４８】
また、第一実施態様のサスペンション用基板は、導体部を覆うカバー層を有していることが好ましい。カバー層の材料としては、例えばポリイミド樹脂（ＰＩ）等を挙げることができる。また、カバー層の材料は、感光性材料であっても良く、非感光性材料であっても良い。カバー層の厚さは、特に限定されるものではないが、絶縁層よりも薄いことが好ましい。カバー層の厚さは、例えば２μｍ〜３０μｍの範囲内であり、中でも２μｍ〜１０μｍの範囲内であることが好ましい。
【００４９】
（２）サスペンション用基板の構成
次に、第一実施態様のサスペンション用基板の構成について説明する。第一実施態様のサスペンション用基板は、めっき線が開口部で断線していることを大きな特徴とする。図５（ａ）は、第一実施態様における開口部の一例を示す概略平面図であり、図５（ｂ）は図５（ａ）のＡ−Ａ断面図である。図５（ａ）において、断線しためっき線１４の距離（開口部１６におけるめっき線１４の開口サイズ）をＬ１とした場合、Ｌ１の値は、２０μｍ以上であることが好ましく、４０μｍ以上であることがより好ましく、５０μｍ以上であることがさらに好ましい。Ｌ１の値が小さすぎると、絶縁層およびカバー層を開口できない可能性があるからである。一方、Ｌ１の値は、１０００μｍ以下であることが好ましく、５００μｍ以下であることがより好ましく、３００μｍ以下であることがさらに好ましい。Ｌ１の値が大きすぎると、静電気を遮断する効果は変わらず、逆に、開口部で露出しためっき線が静電気の影響を受ける可能性があるからである。
【００５０】
また、図５（ｂ）において、開口部１６におけるカバー層４の開口サイズ（めっき線１４の長さ方向における開口サイズ）をＬ２とし、開口部１６における絶縁層２の開口サイズ（めっき線１４の長さ方向における開口サイズ）をＬ３とした場合、Ｌ２およびＬ３の値は、特に限定されるものではないが、それぞれ、３０μｍ〜３００μｍの範囲内であることが好ましく、５０μｍ〜２８０μｍの範囲内であることがより好ましい。また、第一実施態様においては、絶縁層２の開口サイズＬ３が、カバー層４の開口サイズＬ２よりも小さいことが好ましい。特に、後述する図１７に示すように、第一実施態様においては、開口部１６における絶縁層２の端部が、開口部１６におけるカバー層４の端部よりも突出していることが好ましい。すなわち、開口部１６において、絶縁層２が、カバー層４よりも張り出していることが好ましい。上記絶縁層の開口部を形成する際に、カバー層の劣化や剥離が生じることを防止できるからである。なお、この効果については、後述する図１７、図１８を用いて詳細に説明する。また、この場合、開口サイズの差（Ｌ２−Ｌ３）は、特に限定されるものではないが、１０μｍ〜１００μｍの範囲内であることが好ましく、２０μｍ〜５０μｍの範囲内であることがより好ましい。
【００５１】
また、第一実施態様においては、図５に示すように、めっき線１４の開口サイズＬ１が、カバー層４の開口サイズＬ２および絶縁層２の開口サイズＬ３よりも大きいことが好ましい。特に、図５（ｂ）に示すように、第一実施態様においては、開口部１６におけるカバー層４の端部、および開口部１６における絶縁層２の端部が、断線しためっき線１４の端部よりも突出していることが好ましい。すなわち、開口部１６において、絶縁層２およびカバー層４が、めっき線１４よりも張り出していることが好ましい。めっき線の露出面（切断面）が、張り出したカバー層および絶縁層により保護され、めっき線の腐食をより効果的に抑制できるからである。Ｌ１とＬ２との差（Ｌ１−Ｌ２）は、特に限定されるものではないが、１０μｍ〜２００μｍの範囲内であることが好ましく、３０μｍ〜１００μｍの範囲内であることがより好ましい。同様に、Ｌ１とＬ３との差（Ｌ１−Ｌ３）は、特に限定されるものではないが、１０μｍ〜２００μｍの範囲内であることが好ましく、３０μｍ〜１００μｍの範囲内であることがより好ましい。
【００５２】
また、図５（ｂ）において、開口部１６におけるカバー層４の端部と、開口部１６におけるめっき線１４の端部との差をＬ２１とし、開口部１６における絶縁層２の端部と、開口部１６におけるめっき線１４の端部との差をＬ３１とし、開口部１６における絶縁層２の端部と、開口部１６における金属支持基板１の端部との差をＬ４１とする。Ｌ２１の値は、特に限定されるものではないが、例えば、めっき線の厚さ以上であることが好ましい。カバー層の端部が、めっき線の端部に対して、めっき線の厚さ以上に張り出していれば、張り出したカバー層がめっき線の端部全体を保護できるからである。これにより、めっき線の腐食をより効果的に防止できる。Ｌ２１の値は、具体的には、１０μｍ以上であることが好ましく、２０μｍ〜６０μｍの範囲内であることがより好ましく、３０μｍ〜５０μｍの範囲内であることがさらに好ましい。また、Ｌ３１の値は、特に限定されるものではないが、例えば、めっき線の厚さ以上であることが好ましい。Ｌ３１の値は、具体的には、２０μｍ以上であることが好ましく、３０μｍ〜９０μｍの範囲内であることがより好ましく、４０μｍ〜８０μｍの範囲内であることがさらに好ましい。同様に、Ｌ４１の値も、特に限定されるものではないが、２０μｍ以上であることが好ましい。開口部１６の絶縁層２をエッチングする際に、金属支持基板１の開口部断面を十分保護することができるので、上記断面が絶縁層エッチング液により侵されることを防ぐことができるからである。また、図１３（ｃ）に示すように、接続端子用配線部３へのめっき部１７の形成において、ドライフィルムレジスト等で金属支持基板の開口部断面を十分に覆うことができるために、金属支持基板と配線層とが導通している場合でも、金属支持基板の開口部断面にめっきが析出することを防ぐことができ、かつ、端子部全面をめっきにより覆うことができる。
【００５３】
第一実施態様における開口部の平面視形状は、特に限定されるものではないが、例えば矩形、円、楕円、十字、櫛形等を挙げることができる。さらに、開口部の設置位置は、めっき線を断線できる位置であれば特に限定されるものではない。また、第一実施態様における開口部は、一のめっき線に対して設けられたもの（例えば図６）であっても良く、二以上のめっき線に対して設けられたもの（例えば図２、図４）であっても良い。第一実施態様において、テール部の端部を一端とするめっき線が複数ある場合、それらのめっき線の少なくとも一つが、開口部で断線していれば所望の効果を奏し得るが、複数のめっき線の全てが、開口部で断線していることが好ましい。テール部の端部に起因する静電気の悪影響を完全に防止することができるからである。
【００５４】
また、上述した図２で説明したように、第一実施態様のサスペンション用基板２０は、接続端子１２（１２ａ〜１２ｄ）とテール部Ｔの端部との間に、素子を実装した後における素子の性能を確認するためのテスト用端子１５（１５ａ〜１５ｄ）を有し、テスト用端子１５（１５ａ〜１５ｄ）とテール部Ｔの端部との間で、めっき線１４は開口部１６で断線していることが好ましい。テスト用端子の設置位置は、特に限定されるものではないが、通常は、接続端子よりもテール部側に設置される。素子実装後の素子の性能を確認できれば、テスト用端子は不要になるからである。
【００５５】
第一実施態様においては、二以上のテスト用端子が共有用配線部によって共有され、共有用配線部が、短絡防止用開口部で断線していることが好ましい。共有用配線部を設けることにより、めっき線の数を減らすことができ、その結果、開口部を小さくすることができるからである。また、めっき線の数を減らすことで、デザイン設計が容易になるという利点もある。具体的には、図６に示すように、二以上のテスト用端子１５（１５ａ〜１５ｄ）が、共有用配線部３１により共有され、共有用配線部３１が、短絡防止用開口部３２で断線しているものを挙げることができる。この場合、接続端子（図示せず）およびテスト用端子１５にめっき部を設ける際には、短絡防止用開口部３２および開口部１６は形成されていないため、めっき線１４は一つで足りる。また、第一実施態様においては、サスペンション用基板を製造する時に、短絡防止用開口部３２および開口部１６を同時に形成することが好ましい。
【００５６】
上述したように、第一実施態様においては、二以上のテスト用端子が共有用配線部によって共有されていることが好ましいが、テスト用端子と同様に、二以上の接続端子（外部回路基板との接続を行う接続端子）が共有用配線部によって共有されていても良い。この場合も、共有用配線部は、短絡防止用開口部で断線していることが必要である。
【００５７】
２．第二実施態様
次に、第二実施態様のサスペンション用基板について説明する。第二実施態様のサスペンション用基板は、ヘッド部側に形成され、素子を実装する素子実装領域と、テール部側に形成され、外部回路基板との接続を行う接続端子を有する外部回路基板接続領域と、上記素子実装領域および上記外部回路基板接続領域の間を電気的に接続する配線と、上記接続端子と電気的に接続するためのめっき線と、を有するサスペンション用基板であって、金属支持基板と、上記金属支持基板上に形成された絶縁層と、上記絶縁層上に形成された、上記配線、上記接続端子を構成する接続端子用配線部、および上記めっき線と、上記めっき線を覆うカバー層とを有し、上記テール部の上記めっき線の端部における上記カバー層の端部および上記絶縁層の端部が、上記めっき線の端部よりも突出していることを特徴とするものである。
【００５８】
図７は、第二実施態様のサスペンション用基板を説明する模式図である。図７（ａ）は図２と同様にテール部Ｔの周辺を示す拡大図であり、図７（ｂ）は図７（ａ）のＡ−Ａ断面図である。図７（ａ）においては、ヘッド部（図示せず）側から、配線１３（１３ａ〜１３ｄ）、接続端子１２（１２ａ〜１２ｄ）、テスト用端子１５（１５ａ〜１５ｄ）およびめっき線１４（１４ａ〜１４ｄ）がこの順に配置されている。さらに、第二実施態様のサスペンション用基板は、テール部Ｔのめっき線１４ａの端部におけるカバー層４の端部および絶縁層２の端部が、めっき線１４ａの端部よりも突出していることを大きな特徴とする。
【００５９】
また、図８に示すように、外枠部２１から個片のサスペンション用基板を切り離す際に、Ｃｕｔ  Ｌｉｎｅ  １のように、開口部１６でサスペンション用基板を切り離すと、第二実施態様のサスペンション用基板が得られる。これに対して、Ｃｕｔ  Ｌｉｎｅ  ２のように、開口部１６よりも外枠部１２側でサスペンション用基板を切り離すと、上述した第一実施態様のサスペンション用基板が得られる。
【００６０】
このように、第二実施態様によれば、めっき線の露出面（切断面）が、張り出したカバー層および絶縁層により保護されることにより、静電気による素子への悪影響を防止することができる。さらに、カバー層および絶縁層が張り出すことにより、めっき線の腐食を効果的に抑制できる。また、図８に示すＣｕｔ  Ｌｉｎｅ  １のように、例えば、金属支持基板およびリード線が存在しない開口部で、サスペンション用基板を切り離すことにより、切断具の磨耗を抑制できるという利点や、切断時の金属屑の発生を抑制できるという利点がある。
以下、第二実施態様のサスペンション用基板について、サスペンション用基板の部材と、サスペンション用基板の構成とに分けて説明する。
【００６１】
（１）サスペンション用基板の部材
第二実施態様のサスペンション用基板の部材については、上述した第一実施態様に記載した内容と同様であるので、ここでの記載は省略する。
【００６２】
（２）サスペンション用基板の構成
次に、第二実施態様のサスペンション用基板の構成について説明する。第二実施態様のサスペンション用基板の構成は、開口部におけるめっき線の端部を、テール部におけるめっき線の端部に変更したこと以外は、上述した第一実施態様に記載した内容と同様である。
【００６３】
また、上述した図８に示すように、第二実施態様のサスペンション用基板は、例えば、開口部でサスペンション用基板を切り離すことにより得ることができる。図９（ａ）は、第二実施態様におけるテール部の一例を示す概略平面図であり、図９（ｂ）は図９（ａ）のＡ−Ａ断面図である。図９（ａ）において、断線しためっき線１４の距離（開口部１６におけるめっき線１４の開口サイズ）をＬ１とした場合、Ｌ１は、サスペンション用基板を切り離す際に、張り出した絶縁層およびカバー層に、切断具が接触しない程度のサイズであることが好ましい。切断具の大きさや、切断時の精度を考慮すると、Ｌ１の値は、８０μｍ以上であることが好ましく、１００μｍ以上であることがより好ましく、１２０μｍ以上であることがさらに好ましい。一方、Ｌ１の値は、５００μｍ以下であることが好ましく、４００μｍ以下であることがより好ましく、３００μｍ以下であることがさらに好ましい。
【００６４】
また、図９（ｂ）において、開口部１６におけるカバー層４の開口サイズ（めっき線１４の長さ方向における開口サイズ）をＬ２とし、開口部１６における絶縁層２の開口サイズ（めっき線１４の長さ方向における開口サイズ）をＬ３とした場合、Ｌ２およびＬ３の値は、特に限定されるものではないが、それぞれ、６０μｍ〜２８０μｍの範囲内であることが好ましく、１００μｍ〜２００μｍの範囲内であることがより好ましい。
【００６５】
また、第二実施態様においては、図９（ｂ）示すように、通常、テール部Ｔのめっき線１４の端部におけるカバー層４の端部および絶縁層２の端部が、めっき線１４の端部よりも突出している。すなわち、テール部Ｔにおいて、絶縁層２およびカバー層４が、めっき線１４よりも張り出している。めっき線の露出面（切断面）が、張り出したカバー層および絶縁層により保護され、めっき線の腐食を効果的に抑制できる。図９（ｂ）において、テール部Ｔにおけるカバー層４の端部と、テール部Ｔにおけるめっき線１４の端部との差をＬ２１とし、テール部Ｔにおける絶縁層２の端部と、テール部Ｔにおけるめっき線１４の端部との差をＬ３１とし、テール部Ｔにおける絶縁層２の端部と、テール部Ｔにおける金属支持基板１の端部との差をＬ４１とする。Ｌ２１の値は、特に限定されるものではないが、例えば、めっき線の厚さ以上であることが好ましい。カバー層の端部が、めっき線の端部に対して、めっき線の厚さ以上に張り出していれば、張り出したカバー層がめっき線の端部全体を保護できるからである。これにより、めっき線の腐食をより効果的に防止できる。Ｌ２１は、具体的には、１０μｍ以上であることが好ましく、２０μｍ〜６０μｍの範囲内であることがより好ましく、３０μｍ〜５０μｍの範囲内であることがさらに好ましい。また、Ｌ３１の値は、特に限定されるものではないが、例えば、めっき線の厚さ以上であることが好ましい。Ｌ３１の値は、具体的には、２０μｍ以上であることが好ましく、３０μｍ〜９０μｍの範囲内であることがより好ましく、４０μｍ〜８０μｍの範囲内であることがさらに好ましい。同様に、Ｌ４１の値も、特に限定されるものではないが、２０μｍ以上であることが好ましい。開口部１６の絶縁層２をエッチングする際に、金属支持基板１の開口部断面を十分保護することができるので、上記断面が絶縁層エッチング液により侵されることを防ぐことができるからである。また、図１３（ｃ）に示すように、接続端子用配線部３へのめっき部１７の形成において、ドライフィルムレジスト等で金属支持基板の開口部断面を十分に覆うことができるために、金属支持基板と配線層とが導通している場合でも、金属支持基板の開口部断面にめっきが析出することを防ぐことができ、かつ、端子部全面をめっきにより覆うことができる。
【００６６】
Ｂ．外枠付サスペンション用基板
次に、本発明の外枠付サスペンション用基板について説明する。本発明の外枠付サスペンション用基板は、サスペンション用基板と、上記サスペンション用基板のテール部側で一体化した外枠部とを有する外枠付サスペンション用基板であって、上記サスペンション用基板は、ヘッド部側に形成され、素子を実装する素子実装領域と、上記テール部側に形成され、外部回路基板との接続を行う接続端子を有する外部回路基板接続領域と、上記素子実装領域および上記外部回路基板接続領域の間を電気的に接続する配線と、上記外枠部および上記接続端子を電気的に接続するためのめっき線とを有し、さらに、上記サスペンション用基板は、金属支持基板と、上記金属支持基板上に形成された絶縁層と、上記絶縁層上に形成された、上記配線、上記接続端子を構成する接続端子用配線部、および上記めっき線と、上記めっき線を覆うカバー層と有し、上記めっき線は、開口部で断線しており、上記開口部における上記カバー層の端部、および上記開口部における上記絶縁層の端部が、上記断線しためっき線の端部よりも突出していることを特徴とするものである。
【００６７】
図１０は、本発明の外枠付サスペンション用基板の一例を示す概略平面図である。図１０（ａ）は、本発明の外枠付サスペンション用基板の一例を示す概略平面図であり、図１０（ｂ）は図１０（ａ）の領域Ｓの拡大図である。図１０に示される外枠付サスペンション用基板２２は、サスペンション用基板２０と、サスペンション用基板２０のテール部Ｔ側で一体化した外枠部２１とを有するものである。サスペンション用基板２０において、めっき線１４は開口部１６で断線している。
【００６８】
また、上述した図８に示すように、外枠部２１から個片のサスペンション用基板を切り離す際に、Ｃｕｔ  Ｌｉｎｅ  １のように、開口部１６でサスペンション用基板を切り離すと、第二実施態様のサスペンション用基板が得られる。これに対して、Ｃｕｔ  Ｌｉｎｅ  ２のように、開口部１６よりも外枠部１２側でサスペンション用基板を切り離すと、上述した第一実施態様のサスペンション用基板が得られる。
【００６９】
本発明によれば、開口部において、めっき線の露出面（切断面）が、張り出したカバー層および絶縁層により保護されることにより、静電気による素子への悪影響を防止することができる。さらに、カバー層および絶縁層が張り出すことにより、めっき線の腐食を効果的に抑制できる。
【００７０】
なお、本発明におけるサスペンション用基板については、上記「Ａ．サスペンション用基板」に記載した内容と同様であるので、ここでの記載は省略する。また、本発明における外枠部は、特に限定されるものではないが、例えば、金属支持基板と、絶縁層と、導体層とがこの順に積層されたものを挙げることができる。
【００７１】
Ｃ．サスペンション用基板の製造方法
次に、本発明のサスペンション用基板の製造方法について説明する。本発明のサスペンション用基板の製造方法は、２つの実施態様に大別することができる。本発明のサスペンション用基板の製造方法について、第一実施態様および第二実施態様に分けて説明する。
【００７２】
１．第一実施態様
第一実施態様のサスペンション用基板の製造方法は、上述した第一実施態様のサスペンション用基板の製造法であって、第一金属エッチング工程、カバー層形成工程、絶縁層エッチング工程、めっき部形成工程、保護層剥離工程、および第二金属エッチング工程を有することを特徴とするものである。
【００７３】
次に、第一実施態様のサスペンション用基板の製造方法について、図１１〜図１５を用いて説明する。ここで、図１１は、第一実施態様により得られるサスペンション用基板のテール部の一例を示す概略平面図である。なお、図１１における配線１３は、接続端子１２の手前で折れ曲り部を有しているが、これは、配線１３の形成時の様子を分かりやすく説明するためのものであり、実際の配線１３が折れ曲がり部を有する必要はない。また、図１１に示されるサスペンション用基板は、テール部Ｔの周辺において、配線１３、接続端子１２、めっき線１４および開口部１６を有するものである。また、図１２〜図１５に示される概略断面図は、いずれも図１１のＡ−Ａ断面に対応するものである。
【００７４】
図１２においては、まず、金属支持基板１、絶縁層２および導体層３Ａを有する積層部材を準備する（図１２（ａ））。次に、積層部材の両表面に所定のレジストパターンを作製し、ウェットエッチングにより、導体層３Ａから、配線１３、接続端子用配線部３およびめっき線１４を形成し、開口部１６および接続端子１２を形成する位置にある金属支持基板１を除去する（図１２（ｂ））。次に、開口部１６を形成する位置にあるめっき線１４、および接続端子用配線部３を覆わないようにして、めっき線１４および配線１３上に、カバー層４を形成する（図１２（ｃ））。次に、カバー層４を形成した積層部材の両表面に所定のレジストパターンを作製し、ウェットエッチングにより、開口部１６および接続端子１２を形成する位置にある絶縁層２を除去する（図１２（ｄ））。
【００７５】
その後、積層部材の両面に、保護層４１としてＤＦＲ（ドライフィルムレジスト）を配置する（図１３（ａ））。次に、ＤＦＲを露光現像することにより、開口部１６を形成する位置にあるめっき線１４をめっきから保護し、かつ、接続端子１２を形成する位置にある接続端子用配線部３を露出する保護層４１を形成する（図１３（ｂ））。次に、めっき線１４を用いて、接続端子用配線部３の表面上に、金めっきからなるめっき部１７を形成し（図１３（ｃ））、保護層４１を剥離する（図１３（ｄ））。
【００７６】
その後、積層部材の両面に、レジスト層４２としてＤＦＲを配置する（図１４（ａ））。次に、ＤＦＲを露光現像することにより、開口部１６を形成する位置にあるめっき線１４を露出するレジスト層４２を形成する（図１４（ｂ））。次に、レジスト層４２から露出するめっき線１４を、ウェットエッチングにより除去する（図１４（ｃ））。最後に、レジスト層４２を剥離し、サスペンション用基板２０を得る。
【００７７】
上述した図１３（ａ）〜（ｃ）では、保護層４１としてＤＦＲを用いているが、第一実施態様においては、保護層４１として、積層部材の外枠部をめっきから保護するマスク（例えばラバーマスク）を用いても良い。なお、上述した図２３に示すように、製造段階のサスペンション用基板１１０は、外枠部１２０と一体になっている。外枠部１２０の導体層（例えばＣｕ）は、接続端子にめっき部を設ける場合に保護する必要があり、通常はマスクを形成する。その際に使用するマスクを、開口部の配線上のめっき析出を防止するための保護層として用いることで、ＤＦＲを保護層として用いる場合（図１３（ａ）〜（ｃ））と比較して、工程を簡略化することができる。
【００７８】
具体的には、図１２〜図１４に示されるサスペンション用基板の製造方法において、図１３の工程の代わりに、図１５の工程を行うことが好ましい。図１５においては、保護層４１として、積層部材の外枠部をめっきから保護するマスク（例えばラバーマスク）を配置する（図１５（ａ））。次に、めっき線１４を用いて、接続端子用配線部３の表面上に、金めっきからなるめっき部１７を形成し（図１５（ｂ））、保護層４１を除去する（図１５（ｃ））。なお、従来のラバーマスクは、図１６に示すように、外枠部１２０へのめっき析出を防止するためのものであり、その端部はＣｕｔ  Ｌｉｎｅよりも外枠部１２０側に形成されていた。これに対して、ラバーマスクを保護層として用いる場合は、その端部はＣｕｔ  Ｌｉｎｅを超えて、サスペンション用基板側に形成されることになる。この場合、めっき線除去部はＣｕｔ  Ｌｉｎｅよりサスペンション基板側に形成されるからである。
【００７９】
このように、第一実施態様によれば、めっき線を開口部において断線させることにより、静電気による素子への悪影響を防止したサスペンション用基板を得ることができる。特に、めっき部を形成する際に、開口部を形成する位置にあるめっき線をめっきから保護する保護層を形成することで、めっき線の除去が容易になるという利点を有する。
以下、第一実施態様のサスペンション用基板の製造方法について、工程毎に説明する。
【００８０】
（１）第一金属エッチング工程
まず、第一実施態様における第一金属エッチング工程について説明する。本工程は、金属支持基板と、上記金属支持基板上に形成された絶縁層と、上記絶縁層上に形成された導体層とを有する積層部材を用意し、エッチングにより、上記導体層から、上記配線、上記接続端子を構成する接続端子用配線部、および上記めっき線を形成し、かつ、開口部を形成する位置にある上記金属支持基板を除去する工程である（図１２（ａ）、（ｂ））。この際、上記接続端子を形成する位置にある上記金属支持基板を除去することが好ましい。なお、本工程は、導体層のエッチングと金属支持基板のエッチングとを同時に行う場合、および、両工程を別工程として行う場合の双方を含むものである。
【００８１】
第一実施態様に用いられる積層部材は、金属支持基板、絶縁層および導体層を有するものである。これらの部材については、上記「Ａ．サスペンション用基板」に記載した内容と同様であるので、ここでの記載は省略する。
【００８２】
第一実施態様においては、エッチングにより、導体層から配線、接続端子用配線部、およびめっき線を形成する。この際、テスト用端子を有するサスペンション用基板を得る場合には、テスト用端子の配線部を同時に形成することが好ましい。また、第一実施態様においては、エッチングにより、開口部および接続端子を形成する位置にある金属支持基板を除去する。この際、サスペンション用基板の治具孔を同時に形成することが好ましい。
【００８３】
導体層および金属支持基板をエッチングする方法は特に限定されるものではないが、例えば、金属支持基板および導体層の表面に所定のレジストパターンを形成し、そのレジストパターンから露出する露出部をウェットエッチングする方法を挙げることができる。ウェットエッチングに用いるエッチング液の種類は、金属支持基板および導体層の種類に応じて適宜選択することが好ましく、例えば金属支持基板の材料がＳＵＳであり、導体層の材料がＣｕである場合には、塩化鉄系エッチング液等を用いることができる。
【００８４】
（２）カバー層形成工程工程
次に、第一実施態様におけるカバー層形成工程について説明する。本工程は、開口部を形成する位置にある上記めっき線を覆わないようにして、上記めっき線上にカバー層を形成するカバー層を形成する工程である（図１２（ｃ））。この際、通常は、上記接続端子用配線部を覆わないようにして、上記配線上にカバー層を形成する。
【００８５】
第一実施態様に用いられるカバー層については、上記「Ａ．サスペンション用基板」に記載した内容と同様であるので、ここでの記載は省略する。また、テスト用端子を有するサスペンション用基板を得る場合には、テスト用端子の配線部を覆わないようにして、カバー層を形成することが好ましい。カバー層の形成方法は、カバー層の材料に応じて適宜選択することが好ましい。例えば、カバー層の材料が感光性材料である場合は、カバー層の材料を塗布乾燥した後に、露光現像を行うことで、所望のパターンを得ることができる。一方、カバー層の材料が非感光性材料である場合は、カバー層の材料を塗布乾燥した後に、所定のレジストパターンを形成し、そのレジストパターンから露出する露出部をウェットエッチングすることで、所望のパターンを得ることができる。
【００８６】
（３）絶縁層エッチング工程
次に、第一実施態様における絶縁層エッチング工程について説明する。本工程は、上記カバー層形成工程の後に、エッチングにより、上記開口部を形成する位置にある上記絶縁層を除去する工程である（図１２（ｄ））。この際、フライングリード状の接続端子を形成する場合には、接続端子を形成する位置にある上記絶縁層を除去することが好ましい。
【００８７】
第一実施態様においては、エッチングにより、開口部を形成する位置にある上記絶縁層を除去する。この際、テスト用端子を有するサスペンション用基板を得る場合には、テスト用端子を形成する位置にある絶縁層を同時に形成することが好ましい。また、本工程により、その他の不要な絶縁層を除去することが好ましい。
【００８８】
絶縁層をエッチングする方法は特に限定されるものではないが、例えば、積層部材の表面に所定のレジストパターンを形成し、そのレジストパターンから露出する露出部をウェットエッチングする方法を挙げることができる。ウェットエッチングに用いるエッチング液の種類は、絶縁層の種類に応じて適宜選択することが好ましく、例えば絶縁層の材料がポリイミド樹脂である場合には、アルカリ系エッチング液等を用いることができる。
【００８９】
また、第一実施態様においては、図１７に示すように、絶縁層２のエッチングにより、開口部１６を形成する位置にある絶縁層２の端部が、開口部１６を形成する位置にあるカバー層４の端部よりも突出していることが好ましい。絶縁層の開口部を形成する際に、カバー層の劣化や剥離が生じることを防止できるからである。この効果について図１８を用いて説明する。図１８（ａ）に示すように、開口部１６において、カバー層４の端部が、絶縁層２の端部よりも突出している場合を考える。ここで、図１８（ａ）の底面方向４３から開口部１６を観察すると、図１８（ｂ）に示すように、一部のカバー層４が露出した状態となる。そのため、絶縁層２をエッチングする際に、絶縁層２のエッチング液により、露出したカバー層４がエッチングされ、カバー層の劣化や剥離が生じる可能性がある。また、めっき線１４をエッチングする際に用いられるレジスト層を剥離する場合に、そのレジスト層を剥離するための剥離液（例えばアルカリ性剥離液）により、露出したカバー層４の劣化や剥離が生じる可能性もある。これに対して、図１７に示すように、絶縁層２の端部を、カバー層４の端部よりも突出させることにより、絶縁層２のエッチング液によるカバー層４のエッチングを防止することができる。なお、カバー層の劣化や剥離を防止するという観点からは、上述した図５（ｂ）に示すように、絶縁層２の開口サイズＬ３が、カバー層４の開口サイズＬ２と同じであることが理想的であるが、実際には絶縁層の開口部をエッチングするときのレジスト形成のマスク位置合せズレが生じてしまう可能性がある。そのため、位置合せ精度を考慮して、絶縁層の端部が、カバー層の端部よりも突出していることが好ましい。図１７において、開口部１６におけるカバー層４の端部と、開口部１６における絶縁層２の端部との差をＬ３２とした場合、Ｌ３２の値は、例えば、１０μｍ以上であることが好ましく、１０μｍ〜３０μｍの範囲内であることがより好ましく、１５μｍ〜２５μｍの範囲内であることがさらに好ましい。
【００９０】
（４）めっき部形成工程
次に、第一実施態様におけるめっき部形成工程について説明する。本工程は、上記絶縁層エッチング工程の後に、上記開口部を形成する位置にある上記めっき線をめっきから保護する保護層を形成し、上記保護層が形成されていない上記接続端子用配線部の表面上に、めっき部を形成する工程である（図１３（ａ）〜（ｃ）、図１５（ａ）、（ｂ））。
【００９１】
第一実施態様においては、開口部を形成する位置にあるめっき線をめっきから保護する。これは、めっき線がめっきにより覆われていると、めっき線の除去が困難になるからである。なお、テスト用端子を有するサスペンション用基板を得る場合、テスト用端子の配線部は、通常、接続端子用配線部と同様に保護層が形成されていないことになる。また、第一実施態様においては、通常、電解めっき法によりめっき部を形成する。
【００９２】
第一実施態様に用いられる保護層の一例としては、ドライフィルムレジストを挙げることができる。ドライフィルムレジストを用いることにより、任意の場所に開口部を設けることができる。一方、保護層の他の例としては、積層部材の外枠部をめっきから保護するマスクを挙げることができる。このようなマスクとしては、例えば、メカニカルマスクを挙げるげることができ、その材質としては、例えばラバーを挙げることができる。このようなマスクを用いた保護層は、ドライフィルムレジストを用いた保護層と比べて、工程数が増加しないという利点を有する。
【００９３】
（５）保護層剥離工程
次に、第一実施態様における保護層剥離工程について説明する。本工程は、めっき部形成工程の後に、上記保護層を剥離する工程である（図１３（ｄ）、図１５（ｃ））。保護層を剥離する方法は特に限定されるものではないが、例えば、剥離液を用いる方法を挙げることができる。剥離液の種類は、用いられる保護層の種類に応じて適宜選択することが好ましい。
【００９４】
（６）第二金属エッチング工程
次に、第一実施態様における第二金属エッチング工程について説明する。本工程は、上記保護層剥離工程の後に、エッチングにより、上記開口部を形成する位置にある上記めっき線を除去し、上記開口部を形成する工程である（図１４（ａ）〜（ｄ））。
【００９５】
第一実施態様においては、エッチングにより、開口部を形成する位置にあるめっき線を除去する。この際、不要な金属支持基板を同時にエッチングすることが好ましい（例えば、図１４（ｃ）における右端の金属支持基板１）。具体的には、サスペンション用基板の外形加工を、第二金属エッチング工程で行うことが好ましい。
【００９６】
めっき線をエッチングする方法は特に限定されるものではないが、例えば、積層部材の表面に所定のレジストパターンを形成し、そのレジストパターンから露出する露出部をウェットエッチングする方法を挙げることができる。エッチング液については、上述した通りである。
【００９７】
また、第一実施態様においては、図１４（ｄ）に示すように、めっき線１４のエッチングにより、開口部１６におけるカバー層４の端部、および開口部１６における絶縁層２の端部を、開口部１６におけるめっき線１４の端部よりも突出させることが好ましい。単にめっき線１４を除去するのではなく、積極的にめっき線１４のエッチングを行うことにより、めっき線の露出面（切断面）が、張り出したカバー層および絶縁層により保護され、めっき線の腐食をより効果的に抑制できるからである。なお、図１４（ｃ）、（ｄ）では、開口部１６となる位置において、カバー層４を覆うようにレジスト層４２が形成され、レジスト層４２の端部がめっき線１４上にある。積極的にめっき線１４のエッチングを行う場合には、レジスト層４２の端部がめっき線１４上ではなく、カバー層４上になるように、レジスト層４２の開口を設けることが好ましい。また、めっき線１４のエッチングと同時に、金属支持基板のエッチングを行う場合には、金属支持基板のエッチングが完了する時間よりも長い時間で、積極的にめっき線１４のエッチングを行うことが好ましい。
【００９８】
また、図１９では、カバー層４側に形成されたレジスト層４２、および絶縁層２側に形成されたレジスト層４２の両方に開口領域が形成されているが、カバー層４の端部が、絶縁層２の端部よりも突出している場合、絶縁層２側に形成されたレジスト層４２に開口領域を設けなければ、剥離液によるカバー層４の劣化は防止することができる。同様に、図１７に示すように、絶縁層２の端部が、カバー層４の端部よりも突出している場合、カバー層４側に形成されるレジスト層に開口領域を設けなければ、絶縁層２の劣化は防止することができる。このような観点から、絶縁層およびカバー層の端部において、突出していない端部を有する層側のレジスト層に開口領域を設けないことが好ましい。
【００９９】
２．第二実施態様
次に、第二実施態様のサスペンション用基板の製造方法について説明する。第二実施態様のサスペンション用基板は、上述した第二実施態様のサスペンション用基板の製造法であって、第一金属エッチング工程、カバー層形成工程、絶縁層エッチング工程、めっき部形成工程、保護層剥離工程、および第二金属エッチング工程を有することを特徴とするものである。
【０１００】
本発明によれば、テール部のめっき線の端部におけるカバー層の端部および絶縁層の端部が、めっき線の端部よりも突出するように、めっき線をエッチングすることにより、静電気による素子への悪影響を防止したサスペンション用基板を得ることができる。なお、第二実施態様のサスペンション用基板の製造方法は、開口部におけるめっき線の端部を、テール部におけるめっき線の端部に変更したこと以外は、上述した第一実施態様に記載した内容と同様であるので、ここでの記載は省略する。
【０１０１】
Ｄ．外枠付サスペンション用基板の製造方法
次に、本発明の外枠付サスペンション用基板の製造方法について説明する。本発明の外枠付サスペンション用基板の製造方法は、上述した第一実施態様または第二実施態様のサスペンション用基板を得ることができる外枠付サスペンション用基板の製造方法であって、第一金属エッチング工程、カバー層形成工程、絶縁層エッチング工程、めっき部形成工程、保護層剥離工程、および第二金属エッチング工程を有すること特徴とするものである。本発明により、上述した図１０のような素子付サスペンション用基板を得ることができる。
【０１０２】
本発明によれば、開口部におけるカバー層の端部、および開口部における絶縁層の端部が、断線しためっき線の端部よりも突出するように、めっき線をエッチングすることにより、静電気による素子への悪影響を防止した外枠付サスペンション用基板を得ることができる。なお、本発明の外枠付サスペンション用基板の製造方法における各工程は、基本的には、上記「Ｃ．サスペンション用基板の製造方法  １．第一実施態様」に記載した内容と同様である。積層部材の加工時に、エッチングの対象領域を適宜調整することにより、外枠部を形成することができる。
【０１０３】
また、本発明においては、上述した外枠付サスペンション用基板の製造方法により得られた外枠付サスペンション用基板を用いて、サスペンション用基板の開口部で切断を行う切断工程を有することを特徴とするサスペンション用基板の製造方法を提供することもできる（図１０におけるＣｕｔ  Ｌｉｎｅ  ２）。これにより、上述した第一実施態様のサスペンション用基板を得ることができる。
【０１０４】
また、本発明においては、上述した外枠付サスペンション用基板の製造方法により得られた外枠付サスペンション用基板を用いて、サスペンション用基板の開口部よりも外枠部側で切断を行う切断工程を有することを特徴とするサスペンション用基板の製造方法を提供することもできる（図１０におけるＣｕｔ  Ｌｉｎｅ  １）。これにより、上述した第二実施態様のサスペンション用基板を得ることができる。
【０１０５】
Ｅ．サスペンション
次に、本発明のサスペンションについて説明する。本発明のサスペンションは、上述したサスペンション用基板を含むことを特徴とするものである。
【０１０６】
本発明によれば、上述したサスペンション用基板を用いることで、静電気による素子への悪影響を防止したサスペンションとすることができる。
【０１０７】
図２０は、本発明のサスペンションの一例を示す概略平面図である。図２０に示されるサスペンション６０は、上述したサスペンション用基板２０と、素子実装領域Ｘが形成されている表面とは反対側のサスペンション用基板２０の表面に備え付けられたロードビーム５１とを有するものである。
【０１０８】
本発明のサスペンションは、少なくともサスペンション用基板を有し、通常は、さらにロードビームを有する。サスペンション用基板については、上記「Ａ．サスペンション用基板」に記載した内容と同様であるので、ここでの記載は省略する。また、ロードビームは、一般的なサスペンションに用いられるロードビームと同様のものを用いることができる。
【０１０９】
Ｆ．素子付サスペンション
次に、本発明の素子付サスペンションについて説明する。本発明の素子付サスペンションは、上述したサスペンションと、上記サスペンションの素子実装領域に実装された素子と、を有することを特徴とするものである。
【０１１０】
本発明によれば、上述したサスペンションを用いることで、静電気による素子への悪影響を防止した素子付サスペンションとすることができる。
【０１１１】
図２１は、本発明の素子付サスペンションの一例を示す概略平面図である。図２１に示される素子付サスペンション７０は、上述したサスペンション６０と、サスペンション６０の素子実装領域Ｘに実装された素子６１とを有するものである。
【０１１２】
本発明の素子付サスペンションは、少なくともサスペンションおよび素子を有するものである。サスペンションについては、上記「Ｅ．サスペンション」に記載した内容と同様であるので、ここでの記載は省略する。また、素子実装領域に実装される素子としては、例えば、磁気ヘッドスライダ、アクチュエータ、半導体等を挙げることができる。また、上記アクチュエータは、磁気ヘッドを有するものであっても良く、磁気ヘッドを有しないものであっても良い。
【０１１３】
Ｇ．ハードディスクドライブ
次に、本発明のハードディスクドライブについて説明する。本発明のハードディスクドライブは、上述した素子付サスペンションを含むことを特徴とするものである。
【０１１４】
本発明によれば、上述した素子付サスペンションを用いることで、より高機能化されたハードディスクドライブとすることができる。
【０１１５】
図２２は、本発明のハードディスクドライブの一例を示す概略平面図である。図２２に示されるハードディスクドライブ８０は、上述した素子付サスペンション７０と、素子付サスペンション７０がデータの書き込みおよび読み込みを行うディスク７１と、ディスク７１を回転させるスピンドルモータ７２と、素子付サスペンション７０の素子を移動させるアーム７３およびボイスコイルモータ７４と、上記の部材を密閉するケース７５とを有するものである。
【０１１６】
本発明のハードディスクドライブは、少なくとも素子付サスペンションを有し、通常は、さらにディスク、スピンドルモータ、アームおよびボイスコイルモータを有する。素子付サスペンションについては、上記「Ｆ．素子付サスペンション」に記載した内容と同様であるので、ここでの記載は省略する。また、その他の部材についても、一般的なハードディスクドライブに用いられる部材と同様のものを用いることができる。
【０１１７】
なお、本発明は、上記実施形態に限定されるものではない。上記実施形態は例示であり、本発明の特許請求の範囲に記載された技術的思想と、実質的に同一の構成を有し、同様な作用効果を奏するものは、いかなる場合であっても本発明の技術的範囲に包含される。
【０１１８】
［実施例１］
まず、厚さ１８μｍのＳＵＳ３０４（金属支持部材１）、厚さ１０μｍのポリイミド樹脂層（絶縁層２）、厚さ９μｍの電解銅層（導体層３Ａ）を有する積層部材を準備した（図１２（ａ））。次に、積層部材の両面に、ドライフィルムレジストを用いて、レジストパターンを形成した。その後、塩化第二鉄液を用いてエッチングし、エッチング後レジスト剥膜を行った。これにより、導体層３Ａから配線１３、接続端子用配線部３およびめっき線１４を形成した。また、開口部１６および接続端子１２を形成する位置にある金属支持基板１を除去した（図１２（ｂ））。
【０１１９】
その後、開口部１６を形成する位置にあるめっき線１４、および接続端子用配線部３を覆わないようにして、めっき線１４および配線１３上に、ポリイミド樹脂からなるカバー層４を形成した（図１２（ｃ））。次に、絶縁層２をパターニングするために、ドライフィルムレジストを用いて所定のレジストパターンを形成し、露出する部位のポリイミド樹脂をウェットエッチングで除去した（図１２（ｄ））。次に、めっき部１７を形成するために、ドライフィルムレジストを用いて所定のレジストパターンを形成し、電解Ａｕめっき処理により、接続端子用配線部３の表面上にめっき部１７を形成した（図１３（ａ）〜（ｃ））。次に、レジストパターンを剥離した（図１３（ｄ））。
【０１２０】
その後、開口部１６におけるめっき線１４の除去、および、金属支持基板１の外形加工を目的として、ドライフィルムレジストを用いて所定のレジストパターンを形成し、露出するめっき線１６および金属支持基板１を、塩化第二鉄液を用いてエッチングした（図１４（ｄ））。この際、めっき線１４を積極的にエッチングし、図５（ｂ）におけるＬ２１を４０μｍとし、Ｌ３１を５５μｍとし、Ｌ４１を３０μｍとした。これにより、図１０に示す外枠付サスペンション用基板２２を得た。最後に、得られた外枠付サスペンション用基板２２を、開口部１６よりも外枠部２１側の位置（図８におけるＣｕｔ  Ｌｉｎｅ  ２）で切断し、個片のサスペンション用基板２０を得た。
【０１２１】
［実施例２］
得られた外枠付サスペンション用基板２２を、開口部１６の位置（図８におけるＣｕｔ  Ｌｉｎｅ  １）で切断したこと以外は、実施例１と同様にして、個片のサスペンション用基板２０を得た。
【符号の説明】
【０１２２】
１…金属支持基板、２…絶縁層、３Ａ…導体層、３…接続端子用配線部、４…カバー層、１２…接続端子、１３…配線、１４…めっき線、１５…テスト用端子、１６…開口部、１７、１８…めっき部、２０…サスペンション用基板、２１…外枠部、２２…外枠付サスペンション用基板、３１…共有用配線部、３２…短絡防止用開口部、４１…保護層、４２…レジスト層、１１０…サスペンション用基板、１２０…外枠部、Ｈ…ヘッド部、Ｔ…テール部、Ｘ…素子実装領域、Ｙ…外部回路基板接続領域、Ｚ…テスト用端子領域
【図１】
2011170948.tif 000003
【図２】
2011170948.tif 000004
【図３】
2011170948.tif 000005
【図４】
2011170948.tif 000006
【図５】
2011170948.tif 000007
【図６】
2011170948.tif 000008
【図７】
2011170948.tif 000009
【図８】
2011170948.tif 000010
【図９】
2011170948.tif 000011
【図１０】
2011170948.tif 000012
【図１１】
2011170948.tif 000013
【図１２】
2011170948.tif 000014
【図１３】
2011170948.tif 000015
【図１４】
2011170948.tif 000016
【図１５】
2011170948.tif 000017
【図１６】
2011170948.tif 000018
【図１７】
2011170948.tif 000019
【図１８】
2011170948.tif 000020
【図１９】
2011170948.tif 000021
【図２０】
2011170948.tif 000022
【図２１】
2011170948.tif 000023
【図２２】
2011170948.tif 000024
【図２３】
2011170948.tif 000025